(57)【特許請求の範囲】
【請求項１】
地震発生を検知して地震検知信号を出力する地震検知手段と、
前記地震検知手段が地震検知信号を出力したら、特定の電路を即時遮断するための地震発生信号を出力する送信部を備えた制御ユニットと、
電気機器を接続するためのコンセント、及び前記制御ユニットが出力する前記地震発生信号を受信する受信部、更に前記コンセントへの通電を遮断する遮断手段、及び前記遮断手段を制御する遮断制御部を備えたコンセントユニットとを有すると共に、
前記制御ユニットに、前記地震検知手段が地震発生を検知してから所定時間経過後に、電路を一括遮断するための遅延遮断信号を出力する遅延信号生成部を設け、
更に、前記制御ユニットが発信した地震発生信号を受けて報音する通知ユニットを有し、当該通知ユニットは、前記地震発生信号を受信する通知ユニット受信部と、メッセージを報音するための報音部と、一括遮断による停電を予告する音声メッセージを記憶する音声合成部と、前記地震発生信号を受信したら前記音声メッセージを報音させる報知制御部と、遅延遮断させる前記所定時間を設定する遅延時間設定部と、設定された前記所定時間を前記制御ユニットに送信する通知ユニット送信部とを有し、
前記制御ユニットは、前記設定された所定時間を受信する受信部と、受信した所定時間を記憶する遅延時間記憶部とを有することを特徴とする感震遮断システム。
【請求項２】
地震発生を検知して地震検知信号を出力する地震検知手段と、
前記地震検知手段が地震検知信号を出力したら、特定の電路を即時遮断するための地震発生信号を出力する送信部を備えた制御ユニットと、
電気機器を接続するためのコンセント、及び前記制御ユニットが出力する前記地震発生信号を受信する受信部、更に前記コンセントへの通電を遮断する遮断手段、及び前記遮断手段を制御する遮断制御部を備えたコンセントユニットとを有すると共に、
前記地震検知手段に、前記地震検知手段が地震発生を検知してから所定時間経過後に、電路を一括遮断するための遅延遮断信号を出力する遅延信号生成部を設け、
更に、前記制御ユニットが発信した地震発生信号を受けて報音する通知ユニットを有し、当該通知ユニットは、前記地震発生信号を受信する通知ユニット受信部と、メッセージを報音するための報音部と、一括遮断による停電を予告する音声メッセージを記憶する音声合成部と、前記地震発生信号を受信したら前記音声メッセージを報音させる報知制御部と、前記所定時間を設定する遅延時間設定部と、設定された前記所定時間を前記制御ユニットに送信する通知ユニット送信部とを有し、
前記制御ユニットは、前記設定された所定時間を受信する受信部と、受信した所定時間を前記地震検知手段に通知して前記所定時間を設定する所定時間制御部とを有することを特徴とする感震遮断システム。
【請求項３】
地震発生を検知して地震検知信号を出力する地震検知手段と、
前記地震検知手段が地震検知信号を出力したら、特定の電路を即時遮断するための地震発生信号を出力する送信部を備えた制御ユニットと、
電気機器を接続するためのコンセント、及び前記制御ユニットが出力する前記地震発生信号を受信する受信部、更に前記コンセントへの通電を遮断する遮断手段、及び前記遮断手段を制御する遮断制御部を備えたコンセントユニットとを有すると共に、
前記地震検知手段に、前記地震検知手段が地震発生を検知してから所定時間経過後に、電路を一括遮断するための遅延遮断信号を出力する遅延信号生成部を設け、
更に、前記制御ユニットが発信した地震発生信号を受けて報音する通知ユニットを有し、当該通知ユニットは、前記地震発生信号を受信する通知ユニット受信部と、メッセージを報音するための報音部と、一括遮断による停電を予告する音声メッセージを記憶する音声合成部と、前記地震発生信号を受信したら前記音声メッセージを報音させる報知制御部と、前記遅延信号生成部の遅延動作を停止させて前記地震発生信号と同時に前記遅延遮断信号を出力させる即時遮断ボタンとを備えたことを特徴とする感震遮断システム。
【請求項４】
前記通知ユニットは、前記所定時間を設定する遅延時間設定部と、設定された前記所定時間を前記制御ユニットに送信する通知ユニット送信部とを有し、
前記制御ユニットは、前記設定された所定時間を受信する受信部と、受信した所定時間を前記地震検知手段に通知して前記所定時間を設定する所定時間制御部とを有することを特徴とする請求項３記載の感震遮断システム。
【請求項５】
照明手段と、当該照明手段の点灯を制御する照明制御部と、前記制御ユニットが出力する前記地震発生信号を受信する点灯信号受信部とを備えた照明装置を有し、
前記照明制御部は、前記地震発生信号を受けて前記照明手段を点灯させることを特徴とする請求項１乃至４の何れかに記載の感震遮断システム。
【請求項６】
前記照明手段と、前記照明制御部及び点灯信号受信部とが別体であり、
前記照明制御部及び点灯信号受信部とを一体化した照明制御ユニットは、前記照明手段を制御するための赤外線ポートを有する一方、前記照明手段は赤外線受光部を備え、赤外線信号により点灯することを特徴とする請求項５記載の感震遮断システム。
【請求項７】
前記制御ユニットの送信部は、前記コンセントユニットに対して前記地震発生信号を無線発信すると共に、
前記コンセントユニットの受信部は、無線発信された前記地震発生信号を受信することを特徴とする請求項１乃至６の何れかに記載の感震遮断システム。
【請求項８】
前記制御ユニットの前記送信部及び前記受信部と、前記通知ユニット送信部及び前記通知ユニット受信部との間で、無線による送信及び受信を実施することを特徴とする請求項４記載の感震遮断システム。
【請求項９】
前記制御ユニットから前記コンセントユニットへの前記地震発生信号の送信、及び前記制御ユニットと前記通知ユニットとの通信は、有線で実施されることを特徴とする請求項１乃至８の何れかに記載の感震遮断システム。
【発明の詳細な説明】
【技術分野】
【０００１】
本発明は、地震発生を受けて一定時間後に住戸全体の電力を遮断する感震遮断システムに関する。
【背景技術】
【０００２】
従来より、地震の発生を受けて電力の供給を停止する感震遮断システムがある。このようなシステムでは、エレベータや自動扉等は安全上急に停止させることが出来ないため、直ぐに電力の供給を停止せずに一定の条件を設けて遅延して遮断動作するよう制御している。
例えば特許文献１では、地震が発生しても分電盤全体を遮断せず、その後停電が発生したのち復電した時点で電力供給の遮断を実施することで、居住者に対して不都合とならないように遮断動作すると共に、停電が回復して復電した際に火災が発生しないように制御している。
【先行技術文献】
【特許文献】
【０００３】
【特許文献１】特開平９−２１５１７８号公報
【発明の概要】
【発明が解決しようとする課題】
【０００４】
上記特許文献１の発明は、地震が発生したら即時に電路を遮断することはなく、その後停電が発生するまで電力供給を継続させるため、エレベータや自動扉更には電話機等の作動を継続させることができた。
しかしながら、例えば発熱するヒーターや空調等は、地震の発生を受けて速やかに電源を遮断するのが好ましい。そのためには遅延遮断のラインとは別に瞬時遮断するラインを設ける必要があったし、専用のブレーカを設置する必要がありコスト高な構成となっていた。
【０００５】
そこで、本発明はこのような問題点に鑑み、地震発生を受けて即時遮断する回路と遅延遮断を行う回路とを共通する１つの電源ラインのみで設置できる感震遮断システムを提供することを目的としている。
【課題を解決するための手段】
【０００６】
上記課題を解決する為に、請求項１の発明に係る感震遮断システムは、地震発生を検知して地震検知信号を出力する地震検知手段と、地震検知手段が地震検知信号を出力したら、特定の電路を即時遮断するための地震発生信号を出力する送信部を備えた制御ユニットと、電気機器を接続するためのコンセント、及び制御ユニットが出力する地震発生信号を受信する受信部、更にコンセントへの通電を遮断する遮断手段、及び遮断手段を制御する遮断制御部を備えたコンセントユニットとを有すると共に、制御ユニットに、地震検知手段が地震発生を検知してから所定時間経過後に、電路を一括遮断するための遅延遮断信号を出力する遅延信号生成部を設け、更に、制御ユニットが発信した地震発生信号を受けて報音する通知ユニットを有し、当該通知ユニットは、地震発生信号を受信する通知ユニット受信部と、メッセージを報音するための報音部と、一括遮断による停電を予告する音声メッセージを記憶する音声合成部と、地震発生信号を受信したら音声メッセージを報音させる報知制御部と、遅延遮断させる所定時間を設定する遅延時間設定部と、設定された所定時間を制御ユニットに送信する通知ユニット送信部とを有し、制御ユニットは、設定された所定時間を受信する受信部と、受信した所定時間を記憶する遅延時間記憶部とを有することを特徴とする。
この構成によれば、地震発生を受けて分電盤等において電路を一括遮断する動作を遅延させても、即時遮断すべき電気機器のみ地震発生信号を基に電路を即時遮断することができ、火災発生の防止と居住者のスムーズな避難の両立が可能となる。そして、電路の末端となる電気機器を接続するコンセントにおいて電路の即時遮断を実施するため、即時遮断するラインを一括遮断するラインの下流に設けることができ、独立して配設する必要が無く、低コストで構成できる。
また、地震検知手段が地震を検知したら、所定時間経過後に一括遮断することを報音通知するため、居住者等は対応し易い。
更に、一括遮断するまでの遅延時間を容易に変更できる。そのため、それぞれの住宅事情に合わせて容易に設定でき利便性が良い。
【０００７】
請求項２の発明に係る感震遮断システムは、地震発生を検知して地震検知信号を出力する地震検知手段と、地震検知手段が地震検知信号を出力したら、特定の電路を即時遮断するための地震発生信号を出力する送信部を備えた制御ユニットと、電気機器を接続するためのコンセント、及び制御ユニットが出力する地震発生信号を受信する受信部、更にコンセントへの通電を遮断する遮断手段、及び遮断手段を制御する遮断制御部を備えたコンセントユニットとを有すると共に、地震検知手段に、地震検知手段が地震発生を検知してから所定時間経過後に、電路を一括遮断するための遅延遮断信号を出力する遅延信号生成部を設け、更に、制御ユニットが発信した地震発生信号を受けて報音する通知ユニットを有し、当該通知ユニットは、地震発生信号を受信する通知ユニット受信部と、メッセージを報音するための報音部と、一括遮断による停電を予告する音声メッセージを記憶する音声合成部と、地震発生信号を受信したら音声メッセージを報音させる報知制御部と、所定時間を設定する遅延時間設定部と、設定された所定時間を制御ユニットに送信する通知ユニット送信部とを有し、制御ユニットは、設定された所定時間を受信する受信部と、受信した所定時間を地震検知手段に通知して所定時間を設定する所定時間制御部とを有することを特徴とする。
この構成によれば、地震発生を受けて分電盤等において電路を一括遮断する動作を遅延させても、即時遮断すべき電気機器のみ地震発生信号を基に電路を即時遮断することができ、火災発生の防止と居住者のスムーズな避難の両立が可能となる。そして、電路の末端となる電気機器を接続するコンセントにおいて電路の即時遮断を実施するため、即時遮断するラインを一括遮断するラインの下流に設けることができ、独立して配設する必要が無く、低コストで構成できる。
また、地震検知手段が地震を検知したら、所定時間経過後に一括遮断することを報音通知するため、居住者等は対応し易い。
更に、一括遮断するまでの遅延時間を容易に変更できる。そのため、それぞれの住宅事情に合わせて容易に設定でき利便性が良い。加えて、地震検知手段が地震検知信号と遅延遮断信号の双方を出力するため、地震検知手段単独でも有効活用できる。
【０００８】
請求項３の発明に係る感震遮断システムは、地震発生を検知して地震検知信号を出力する地震検知手段と、地震検知手段が地震検知信号を出力したら、特定の電路を即時遮断するための地震発生信号を出力する送信部を備えた制御ユニットと、電気機器を接続するためのコンセント、及び制御ユニットが出力する地震発生信号を受信する受信部、更にコンセントへの通電を遮断する遮断手段、及び遮断手段を制御する遮断制御部を備えたコンセントユニットとを有すると共に、地震検知手段に、地震検知手段が地震発生を検知してから所定時間経過後に、電路を一括遮断するための遅延遮断信号を出力する遅延信号生成部を設け、更に、制御ユニットが発信した地震発生信号を受けて報音する通知ユニットを有し、当該通知ユニットは、地震発生信号を受信する通知ユニット受信部と、メッセージを報音するための報音部と、一括遮断による停電を予告する音声メッセージを記憶する音声合成部と、地震発生信号を受信したら音声メッセージを報音させる報知制御部と、遅延信号生成部の遅延動作を停止させて地震発生信号と同時に遅延遮断信号を出力させる即時遮断ボタンとを備えたことを特徴とする。
この構成によれば、地震発生を受けて分電盤等において電路を一括遮断する動作を遅延させても、即時遮断すべき電気機器のみ地震発生信号を基に電路を即時遮断することができ、火災発生の防止と居住者のスムーズな避難の両立が可能となる。そして、電路の末端となる電気機器を接続するコンセントにおいて電路の即時遮断を実施するため、即時遮断するラインを一括遮断するラインの下流に設けることができ、独立して配設する必要が無く、低コストで構成できる。
また、地震検知手段が地震を検知したら、所定時間経過後に一括遮断することを報音通知するため、居住者等は対応し易い。
更に、居住者が外出等で不在になる際には、一括遮断動作に遅延時間を設ける必要が無くなるため、全ての電路を即時遮断する即時遮断ボタンを外出時等にオン操作することで、不必要に遅延動作することが無くなり不要な電力の供給を無くすことができる。
【０００９】
請求項４の発明は、請求項３に記載の構成において、遅延信号生成部は地震検知手段に設けられる一方、通知ユニットは、所定時間を設定する遅延時間設定部と、設定された所定時間を制御ユニットに送信する通知ユニット送信部とを有し、制御ユニットは、設定された所定時間を受信する受信部と、受信した所定時間を地震検知手段に通知して所定時間を設定する所定時間制御部とを有することを特徴とする。
この構成によれば、一括遮断するまでの遅延時間を容易に変更できる。そのため、それぞれの住宅事情に合わせて容易に設定でき利便性が良い。加えて、地震検知手段が地震検知信号と遅延遮断信号の双方を出力するため、地震検知手段単独でも有効活用できる。
【００１０】
請求項５の発明は、請求項１乃至４の何れかに記載の構成において、照明手段と、当該照明手段の点灯を制御する照明制御部と、制御ユニットが出力する地震発生信号を受信する点灯信号受信部とを備えた照明装置を有し、照明制御部は、地震発生信号を受けて照明手段を点灯させることを特徴とする。
この構成によれば、地震の発生を受けて照明手段が点灯するため、居住者は夜間であっても落ち着いて且つスムーズに避難することが可能となる。
【００１１】
請求項６の発明は、請求項５に記載の構成において、照明手段と、照明制御部及び点灯信号受信部とが別体であり、照明制御部及び点灯信号受信部とを一体化した照明制御ユニットは、照明手段を制御するための赤外線ポートを有する一方、照明手段は赤外線受光部を備え、赤外線信号により点灯することを特徴とする。
この構成によれば、照明手段は赤外線受光部を備えた既存の照明を使用でき、照明装置を安価に構成できる。
【００１２】
請求項７の発明は、請求項１乃至６の何れかに記載の構成において、制御ユニットの送信部は、コンセントユニットに対して地震発生信号を無線発信すると共に、コンセントユニットの受信部は、無線発信された地震発生信号を受信することを特徴とする。
この構成によれば、制御ユニットとコンセントユニットとを有線接続する必要がないため、コンセントユニットの設置が容易である。
【００１３】
請求項８の発明は、請求項４に記載の構成において、制御ユニットの送信部及び受信部と、通知ユニット送信部及び通知ユニット受信部との間で、無線による送信及び受信を実施することを特徴とする。
この構成によれば、制御ユニットと通知ユニットとを有線接続する必要がないため、通知ユニットの設置が容易である。
【００１５】
請求項９の発明は、請求項１乃至８の何れかに記載の構成において、制御ユニットからコンセントユニットへの地震発生信号の送信、及び制御ユニットと通知ユニットとの通信は、有線で実施されることを特徴とする。
この構成によれば、制御ユニットとコンセントユニットとの距離が長い場合、或いは制御ユニットと通知ユニットとの距離が長い場合でも確実な通信を実施できる。そのため、設置住戸の間取りに関係なく稼働させることができる。
【発明の効果】
【００１６】
本発明によれば、地震発生を受けて分電盤等において電路を一括遮断する動作を遅延させても、即時遮断すべき電気機器のみ地震発生信号を基に電源を遮断することができ、火災発生の防止と居住者のスムーズな避難の両立が可能となる。そして、電路の末端となる電気機器を接続するコンセントにおいて電路の即時遮断を実施するため、即時遮断するラインを一括遮断するラインの下流に設けることができ、独立して配設する必要が無く、低コストで構成できる。
【図面の簡単な説明】
【００１７】
【図１】本発明に係る感震遮断システムの一例を示す構成図である。
【図２】感震センサと制御ユニットの説明図である。
【図３】コンセントユニットの回路ブロック図である。
【図４】通知ユニットの回路ブロック図である。
【図５】照明装置の説明図である。
【図６】感震遮断システムの他の例を示し、感震リレーと制御ユニットの説明図である。
【図７】感震遮断システムの他の例を示す構成図である。
【図８】図７の制御ユニットの説明図である。
【発明を実施するための形態】
【００１８】
以下、本発明を具体化した実施の形態を、図面を参照して詳細に説明する。図１は本発明に係る感震遮断システムの一例を示す構成図であり、１は一定の震度以上の地震発生を検知する地震検知手段としての感震センサ、２は感震センサ１の地震検知を受けて所定の信号（地震発生信号）を無線発信する制御ユニット、３は電気機器を接続するためのコンセント３１を備えてコンセント３１への通電を遮断する遮断回路を備えたコンセントユニット、４は一括遮断を予告するための通知ユニット、５は照明制御ユニット５ａと照明手段５ｂとから成り、地震が発生したら照明手段５ｂが点灯する照明装置である。
【００１９】
感震センサ１と制御ユニット２とは伝送線Ｌ１を介して接続され、通知ユニット４と制御ユニット２とは相互に無線通信を実施する。また、コンセントユニット３は制御ユニット２から地震発生信号を無線受信して遮断動作等実施するし、照明装置５は制御ユニット２から地震発生信号を受信したら照明手段５ｂを点灯させる。
【００２０】
尚、感震センサ１と制御ユニット２は図示しない分電盤に設置され、コンセントユニット３は地震発生を受けて即時電源供給を停止したい電気機器を接続する壁面コンセントとして、或いは壁面コンセットに接続するテーブルタップとして、更には壁面コンセントに接続するアダプタとして構成されている。また、通知ユニット４は、キッチンやリビング等通知音を聞き易く、また操作し易い場所に設置されるし、照明装置５は寝室や避難路等夜間においてスムーズな避難を可能とする場所に設置される。
【００２１】
図２は感震センサ１と制御ユニット２の説明図であり、制御ユニット２は回路ブロックを示している。図２に示すように、感震センサ１は設定された震度を記憶する設定震度記憶部１１、設定された震度を検知したら地震検知信号を出力する感震センサＣＰＵ１２等を備えている。
【００２２】
制御ユニット２は、伝送線Ｌ１を介して感震センサ１と通信するシリアル通信ＩＦ２１、作動状態（オン／オフ）を表示するＬＥＤから成る表示部２２、通知ユニット４と通信すると共に、コンセントユニット３及び照明装置５に所定の信号を送信する無線部（無線送信部）２３、電気機器を一括遮断するためのブレーカトリップ回路２４、制御ユニット２を制御する制御ユニットＣＰＵ２５、制御ユニット２の各回路に電源を供給する電源部２６等を備えている。
【００２３】
尚、２５ａはブレーカトリップ回路２４を遅延動作させるための所定時間である遅延時間を記憶する遅延時間記憶部、７はブレーカトリップ回路２４により遮断操作される遮断器としての漏電ブレーカであり、ブレーカトリップ回路２４は、疑似漏電電流を発生させる回路を介して漏電ブレーカ７に接続されている。この漏電ブレーカ７を、例えば分電盤の主幹ブレーカとすれば、遅延遮断信号を受けて住戸内に配設された全ての電路を一括遮断できる。また、感震センサ１の電源及び制御ユニット２の電源部２６は、商用電源に接続された分電盤内の主電路に接続される。
【００２４】
図３はコンセントユニット３の回路ブロック図を示している。コンセントユニット３は、図３に示すように電気機器のプラグが接続されるコンセント３１を有し、コンセント３１に至る電路Ｌ２を開閉する開閉接点３２、開閉接点３２を開動作させるトリップコイル３３、トリップコイル３３を駆動するトリップコイル駆動回路３４、制御ユニット２から送信された信号を受信する無線部（受信部）３５、コンセントユニット３の状態（開閉接点３２のオン／オフ状態）を表示するＬＥＤから成る表示部３６、コンセントユニット３を制御するコンセントユニットＣＰＵ３７、コンセントユニット３の各回路に電源を供給する電源部３８、開閉接点３２の開動作を禁止するスイッチ３９等を備えている。尚、電路Ｌ２は、分電盤からの分岐電路である。
【００２５】
図４は通知ユニット４の回路ブロック図を示している。通知ユニット４は、図４に示すように一括遮断を予告するためのスピーカ４１、アナウンス音声を生成する音声合成部としての音声合成ＩＣ４２、通知ユニット４の状態を表示（電源表示及び地震発生表示）するためのＬＥＤから成る表示部４３、地震感度を設定する感度設定部４４、一括遮断するまでの遅延時間を設定する遅延時間設定部４５、地震検知動作を停止させるリセットスイッチ４６、制御信号を外部に出力するＬＡＮ−ＩＦ４７、制御ユニット２と通信する第１無線部４８、図示しない電力量計に設置された復電検出器（図示せず）から復電信号を受信するための第２無線部４９、通知ユニット４を制御する通知ユニットＣＰＵ５０、通知ユニット４の各回路に電源を供給する電源部５１、遅延動作を解除させる即時遮断ボタン５２等を備えている。尚、電源部５１は、壁面コンセント等から商用電源を入手して直流電圧を出力するが停電時に動作するよう電池を内蔵している。
【００２６】
図５は照明装置５の構成を示し、照明制御ユニット５ａと照明手段５ｂとで構成されている。照明制御ユニット５ａは、赤外線信号を出力する赤外線ポート５５、制御ユニット２と通信する無線部５６、照明制御ユニット５ａを制御する照明制御ユニットＣＰＵ５７等を備えている。照明装置５ｂは、蛍光灯或いはＬＥＤ照明と、赤外線受光部５８を備えている。
【００２７】
このように構成された感震遮断システムの動作は以下の様である。まず初期設定として、遮断制御する地震強度と、主電路を遮断する信号を遅延出力させる遅延時間が設定される。遮断制御する地震強度は、通知ユニット４の感度設定部４４で設定される。例えば、震度５弱、震度５強、震度６弱から選択して設定され、設定した感度情報は通知ユニットＣＰＵ５０の制御により、第１無線部４８から制御ユニット２に送信され、制御ユニット２はこの情報を感震センサ１に送信する。感震センサ１は感震センサＣＰＵ１２が設定震度記憶部１１に記憶し、感度が設定される。
【００２８】
また遅延時間の設定は、遅延時間設定部４５を操作して設定され、地震を検知してからブレーカトリップ回路２４が信号を出力するまでの所定時間（遅延時間）が設定される。例えば、１分後、３分後、７分後等から選択されて設定され、設定した遅延時間は地震感度設定と同様に制御ユニット２に送信され、制御ユニットＣＰＵ２５の制御により制御ユニット２の遅延時間記憶部２５ａに記憶される。こうして、一括遮断するまでの遅延時間を容易に変更できるため、それぞれの住宅事情に合わせて容易に設定でき利便性が良い。
【００２９】
こうして、初期設定が終了するとシステムは待受状態となる。その後、地震が発生すると、感震センサ１が震度を判断して設定された震度、例えば震度５強或いはそれ以上の地震が発生したと判断したら制御ユニット２に対して地震検知信号を出力する。
この地震検知信号を受信した制御ユニット２では、制御ユニットＣＰＵ２５の制御により地震発生信号が無線部２３から発信され、コンセントユニット３、通知ユニット４、照明制御ユニット５ａがこれを受信する。尚、無線部２３は、例えば９２０ＭＨｚ帯の信号で発信される。
【００３０】
更に制御ユニットＣＰＵ２５は、地震検知信号を受けて遅延時間のカウントを開始し、遅延時間記憶部２５ａが記憶する遅延時間に達したら、一括遮断のための遅延遮断信号をブレーカトリップ回路２４に出力する。この遅延遮断信号により、ブレーカトリップ回路２４は漏電ブレーカ７に対して擬似漏電電流を流して遮断動作させる。この漏電ブレーカ７を分電盤の主幹ブレーカとすれば、住戸内の全ての電路が一括遮断する。
【００３１】
また、制御ユニット２から地震発生信号を受信したコンセントユニット３では、コンセントユニットＣＰＵ３７の制御により、トリップコイル駆動回路３４が動作してトリップコイル３３がトリップ動作する。こうして、開閉接点３２が開放されて分電盤から分岐されてコンセント３１に至る電路Ｌ２が遮断される。
【００３２】
一方、地震発生信号を受信した通知ユニット４では、通知ユニットＣＰＵ５０の制御により、音声合成ＩＣ４２がメッセージを生成して、スピーカ４１から例えば「地震を検知しました。まもなく全ての電源を停止します」が報音される。また、表示部４３の表示が青色から赤色に変更される。このように、地震検知手段が地震発生を検知したら、所定時間経過後に一括遮断することを報音通知するため、居住者等は対応し易い。
【００３３】
尚、このメッセージの報音が開始されてから、制御ユニットＣＰＵ２５が遅延遮断信号を出力するまで、即ち制御ユニット２が一括遮断信号を出力するまでに、リセットスイッチ４６が押下されたら、地震検知動作がリセットされて報音が停止し、一括遮断信号の出力も停止される。また地震により停電が発生し、その後復電したら電力量計に設置された復電検出器から復電信号が発信される。この信号は第２無線部４９で受信され、通知ユニットＣＰＵ５０の制御により、音声合成ＩＣ４２がメッセージを生成して、スピーカ４１から例えば「只今、電力が復旧しました」が報音される。
【００３４】
また、即時遮断ボタン５２がオン操作されると、通知ユニットＣＰＵ５０の制御により遅延動作を停止させる遅延停止信号が第１無線部４８から制御ユニット２に送信される。遅延停止信号を受信した制御ユニットＣＰＵ２５は、感震センサ１から地震検知信号を受信しても、設定された遅延時間のカウントを実施せず、地震発生信号と同時に遅延遮断信号を出力する。この結果、地震発生を受けて全ての電気機器が即時遮断される。
このように、居住者が外出等で不在になる際には、一括遮断動作に遅延時間を設ける必要が無くなるため、全ての電路を即時遮断する即時遮断ボタン５２を外出時等にオン操作することで、不必要に遅延動作することが無くなり不要な電力の供給を無くすことができる。
【００３５】
更に照明装置５では、照明制御ユニット５ａの無線部５６が地震発生信号を受信したら、照明制御ユニットＣＰＵ５７の制御により赤外線ポート５５から照明手段５ｂを点灯させる所定の赤外線信号が出力され、この信号を赤外線受光部５８で受信した照明手段５ｂは点灯する。
尚、照明装置５の照明制御ユニット５ａは、無線部５６を備えて制御ユニット２が発信する地震発生信号を無線受信するが、無線部５６を無くして両者を有線接続しても良い。
【００３６】
このように、地震発生を受けて分電盤等において電路を一括遮断する動作を遅延させても、即時遮断すべき電気機器のみ地震発生信号を基に電路を即時遮断することができ、火災発生の防止と居住者のスムーズな避難の両立が可能となる。そして、電路Ｌ２の末端となる電気機器を接続するコンセント３１において電路Ｌ２の即時遮断を実施するため、即時遮断するラインを一括遮断するラインの下流に設けることができ、独立して配設する必要が無く低コストで構成できる。
また、地震の発生を受けて照明手段５ｂが点灯するため、居住者は夜間であっても落ち着いて且つスムーズに避難することが可能となるし、照明手段５ｂは赤外線受光部５５を備えた既存の照明を使用でき、照明装置５を安価に構成できる。
更に、制御ユニット２が発信する地震発生信号を、コンセントユニット３は無線部３５が受信するし、照明装置５も照明制御ユニット５ａの無線部５６が受信するため、制御ユニット２と有線接続する必要がなく、コンセントユニット３及び照明装置５の設置が容易である。そして、制御ユニット２と通知ユニット４との間も有線接続する必要がないため、通知ユニット４の設置も容易である。
加えて、居住者が外出等で不在になる際には、一括遮断を遅延動作させる必要が無くなるため、全ての電路を即時遮断する即時遮断ボタン５２を外出時等にオン操作することで、不必要に遅延動作することが無くなり不要な電力の供給を無くすことができる。
【００３７】
次に、感震遮断システムの他の形態を説明する。図６は図１の感震センサ１と制御ユニット２に対応する感震リレー６と制御ユニット２の説明図であり、制御ユニット２は回路ブロックを示している。上記実施形態とは、感震センサ１に替えて一括遮断信号も出力する感震リレー６を使用している点が相違し、感震リレー６が遅延遮断信号も生成するよう構成されている。それに伴い、制御ユニット２は遅延遮断信号を出力する回路はない。尚、上記実施形態と共通する構成要素には同一の符号を付与している。また、照明装置５は省略している。
【００３８】
具体的に、感震リレー６は、設定震度記憶部６１、感震リレー６全体を制御する感震リレーＣＰＵ６２、遅延時間記憶部６２ａ、電気機器を一括遮断するための一括遮断信号を出力するブレーカトリップ回路６４を具備している。
一方、制御ユニット２は、感震リレー６と通信するシリアル通信ＩＦ２１、作動状態（オン／オフ）を表示するＬＥＤから成る表示部２２、通知ユニット４と通信すると共にコンセントユニット３に所定の信号を送信する無線部２３、制御ユニット２を制御する制御ユニットＣＰＵ２５、各回路に電源を供給する電源部２６等を備えている。
尚、コンセントユニット３、通知ユニット４を含むシステム全体の構成は上記形態と同様であるため説明を省略する。
【００３９】
このように構成されたシステムでは、次のように動作する。上記形態との差異を中心に説明する。初期設定は上記形態と同様であり、通知ユニット４において遅延時間と検知感度とが設定される。但し、遅延時間の設定は、遅延時間設定部４５を操作して設定されるが、設定した遅延時間を制御ユニット２が受信すると、制御ユニットＣＰＵ２５の制御により感震リレー６に送信され、遅延時間記憶部６２ａに記憶される。
【００４０】
そして地震が発生すると、感震リレーＣＰＵ６２が震度を判断し、設定震度記憶部６１が記憶している設定震度或いはそれ以上の地震が発生したら、制御ユニット２に対して地震検知信号を出力する。地震検知信号を受信した制御ユニット２は、制御ユニットＣＰＵ２５の制御によりコンセントユニット３及び通知ユニット４に対して地震発生信号を送信する。
【００４１】
更に地震検知信号を出力した感震リレーＣＰＵ６２は、遅延時間のカウントを開始し、遅延時間記憶部６２ａが記憶する遅延時間に達したら、遅延遮断信号をブレーカトリップ回路６４に出力する。遅延遮断信号を受けたブレーカトリップ回路６４は、上記実施形態と同様に擬似漏電電流を漏電ブレーカ７に流して遮断動作させる。
【００４２】
このように、一括遮断信号を出力する機器は地震を検知する感震リレー６であっても良く、制御ユニット２が出力する場合と同様に制御できる。また、制御ユニット２等を接続すること無く感震リレー６単独で一括遮断信号を遅延出力させることができることで、感震リレー６単独でも有効活用できる。そして、一括遮断するまでの遅延時間を通知ユニット４において容易に変更できるため、それぞれの住宅事情に合わせて容易に設定でき、利便性が良い。
【００４３】
図７は感震遮断システムの更に他の形態を示す構成図であり、上記形態とは機器間の通信を有線で実施している点が相違している。また、照明装置５は省略してある。図７に示すように、制御ユニット２とコンセントユニット３とは伝送線Ｌ３で接続され、制御ユニット２と通知ユニット４とは伝送線Ｌ４で接続されている。
また図８は、この形態の制御ユニット２の回路ブロック図であり、上記図２に示す無線部２３に代えて、コンセントユニット３に地震発生信号を送信すると共に、通知ユニット４と通信する送受信部２３ａが設けられている。この送受信部２３ａは、変調／復調部を具備しており、コンセントユニット３及び通知ユニット４に送信する信号は変調して出力され、受信した信号は復調して制御ユニットＣＰＵ２５等に出力される。
【００４４】
尚、上記実施形態と共通する構成要素には同一に符号を付与して説明を省略する。また、コンセントユニット３も図３に示す無線部３５に代えて、図示しない復調部を備えた受信部を有しているし、通知ユニット４も図４に示す第１無線部４８に代えて、図示しない変調／復調部を備えた送受信部を具備している。
【００４５】
このように、機器間の通信を有線で実施しても良く、制御ユニット２とコンセントユニット３との距離が長い場合、或いは制御ユニット２と通知ユニット４との距離が長く無線通信が難しい場合でも確実な通信を実施できる。そのため、設置する住戸の間取りに関係なく良好に稼働させることができる。
【００４６】
尚、上記実施形態は、感震センサ１と制御ユニット２、また感震リレー６と制御ユニット２とを別体としているが、双方とも一体としても良い。一方、通知ユニット４にはスピーカ４１と感度設定部４４及び遅延時間設定部４５とが一体となっているが、報知機能と設定機能とを別体としても良い。
また、コンセントユニット３及び照明装置５はそれぞれ１台としているが、双方とも複数台設置しても良い。
【符号の説明】
【００４７】
１・・感震センサ（地震検知手段）、２・・制御ユニット、３・・コンセントユニット、４・・通知ユニット、５・・照明装置、５ａ・・照明制御ユニット、５ｂ・・照明手段、１１・・設定震度記憶部、６・・感震リレー（地震検知手段）、２３・・無線部（送信部、受信部）、２４・・ブレーカトリップ回路、２５・・制御ユニットＣＰＵ（遅延信号生成部、所定時間制御部）、２５ａ・・遅延時間記憶部、３１・・コンセント、３２・・開閉接点（遮断手段）、３５・・無線部（受信部）、３７・・コンセントユニットＣＰＵ（遮断制御部）、４１・・スピーカ（報音部）、４２・・音声合成ＩＣ（音声合成部）、４４・・感度設定部、４５・・遅延時間設定部、４８・・第１無線部（通知ユニット送信部、通知ユニット受信部）、５０・・通知ユニットＣＰＵ（報知制御部）、５５・・赤外線ポート、５６・・無線部（受信部）、５７・・照明制御ユニットＣＰＵ、５８・・赤外線受光部、６１・・設定震度記憶部、６２・・感震リレーＣＰＵ（遅延信号生成部）、６２ａ・・遅延時間記憶部、６４・・ブレーカトリップ回路。
【図１】
0006605875.tif 000002
【図２】
0006605875.tif 000003
【図３】
0006605875.tif 000004
【図４】
0006605875.tif 000005
【図５】
0006605875.tif 000006
【図６】
0006605875.tif 000007
【図７】
0006605875.tif 000008
【図８】
0006605875.tif 000009